(57)【要約】【課題】ＦＰＣを多層基板にすることなく信号配線の特性インピーダンスの不整合を低減させることができるＦＰＣを有する撮像装置を提供すること。【解決手段】撮像装置本体と、前記撮像装置本体内部に配置されたシャフトと、前記シャフトに対してその一部が巻き付いて保持されるＦＰＣと、を有する撮像装置において、前記ＦＰＣは片面で構成され、少なくとも１組の差動配線と、前記差動配線の両側に配置された第一のＧＮＤ配線を有し、前記シャフトに巻き付けられる部分における展開形状が略Ｕ字形状であり、前記シャフトに巻き付けられる部分において、前記ＦＰＣ同士が重なる領域における前記差動配線の配線方向が前記シャフトに平行な部分と重なる部分の上下層の前記ＦＰＣに、第一のＧＮＤ配線若しくは第一のＧＮＤ配線とは異なる第二のＧＮＤ配線が配置されることを特徴とする。【選択図】図５（ａ）
2016134537.tif 000002
【特許請求の範囲】
【請求項１】
撮像装置本体と、前記撮像装置本体内部に配置されたシャフトと、前記シャフトに対してその一部が巻き付いて保持されるフレキシブルプリント配線基板（ＦＰＣ）と、を有する撮像装置において、
前記ＦＰＣは、片面仕様で構成され、少なくとも１組の差動配線と、前記少なくとも１組の差動配線の両側に配置された第一のグランド（ＧＮＤ）配線を有し、
前記ＦＰＣの外形は、前記シャフトに巻き付けられる部分における展開形状がＵ字形状となるよう構成し、
前記ＦＰＣが前記シャフトに巻き付けられる部分において、前記ＦＰＣ同士が重なる領域における、前記差動配線の配線方向が前記シャフトに平行な部分と重なる部分の上下層の前記ＦＰＣに、第一のＧＮＤ配線若しくは、第一のＧＮＤ配線とは異なる箇所に配線された第二のＧＮＤ配線が配置されることを特徴とする撮像装置。
【請求項２】
前記ＦＰＣは、前記シャフトに対して少なくとも３周以上巻き付けられることを特徴とする請求項１に記載の撮像装置。
【請求項３】
前記第二のＧＮＤ配線の配線幅は、前記少なくとも１組の差動配線の配線幅よりも太いことを特徴とする請求項１又は請求項２に記載の撮像装置。
【請求項４】
前記ＦＰＣが前記シャフトに巻き付けられる部分において、前記ＦＰＣ同士が重なる領域における、前記差動配線の配線方向が前記シャフトに平行でない部分と重なる部分の上下層の前記ＦＰＣに、第一のＧＮＤ配線若しくは、第一のＧＮＤ配線とは異なる箇所に配線された第二のＧＮＤ配線が配置されることを特徴とする請求項１乃至請求項３の何れか一項に記載の撮像装置。
【発明の詳細な説明】
【技術分野】
【０００１】
本発明は、撮像装置に関するものであり、特にシャフトにフレキシブルプリント配線基板を巻き付ける構成を備えた撮像装置に関する。
【背景技術】
【０００２】
近年の電子機器、例えば撮像装置においては、撮像装置本体部と表示部との間に回動機構を配置したものがある。例えば構造体の一部に液晶パネル等を搭載したものがある。使用者は液晶パネルを回転させることにより機器本体に対して様々な角度から液晶の表示を確認することが可能となる。そして、本体部と表示部は回動機構を経由するフレキシブルプリント配線基板（ＦＰＣ）によって電気的に接続されている。
【０００３】
このような回動機構を構成するものとして、特許文献１がある。特許文献１は、回動支軸と、前記回動支軸により各々回動する第１の筐体と第２の筐体と、前記第１の筐体の電気回路と前記第２の筐体の電気回路を接続する面状のＦＰＣとを備え、前記ＦＰＣは前記回動支軸と平行な本体部分と、前記本体部分と直角に曲げて構成した２つの端子連絡部分とからなり、前記本体部分は回動支軸と平行に折られ、かつ少なくとも一方の端子連絡部分を、中空を有するように巻回して巻回し部分を形成し、前記巻回し部分の中空内に前記回動支軸を挿通することを特徴とする回動接続装置を提案している。
【０００４】
上記回動接続装置は、巻回し部分は第１の筐体と第２の筐体が回動するために必要なＦＰＣ長を前記回動支軸とＦＰＣ及びＦＰＣの巻回し部分同士に中空部ができるよう巻回することで確保している。
【０００５】
また、ＦＰＣの本体部分は回動支軸と平行に折られ、かつ少なくとも一方の端子連絡部分が巻回し固定され回動支軸を通していることを特徴としているものである。そして、このような構成によって、信号線数が多くても、ＦＰＣの本体部を折ることでその幅を実質的に細くすることができ、筐体の回動部の大きさをより小型にするとともに回動ができる。
【０００６】
一方、近年の電子機器の高性能化、高機能化に伴い、電子機器の信号配線を伝送する信号が高速化している。一般に、信号配線における特性インピーダンスが不整合となることで、信号配線において信号の反射に起因したノイズが発生することが知られている。また、配線基板の周囲の金属部品の影響などにより、配線基板に配置した信号配線の特性インピーダンスが所望の値より低下し、前述のように特性インピーダンスの不整合によりノイズが発生する問題が広く知られている。この問題の発生は、電子機器の信号伝送の高速化に伴い、より顕著となっている。
【０００７】
このような特性インピーダンスの不整合を低減する方法として、特許文献２が提案されている。
【先行技術文献】
【特許文献】
【０００８】
【特許文献１】特許第３３０７１９９号公報
【特許文献２】特開２０１２−２２７２１１号公報
【発明の概要】
【発明が解決しようとする課題】
【０００９】
しかしながら、特許文献１や特許文献２に記載された構造では、ＦＰＣをシャフトに巻回す際にＦＰＣ同士が重なることで、信号配線付近に別の信号配線が近づくため信号配線の特性インピーダンスの不整合が生じてしまう。また、信号配線の裏面にグランド（ＧＮＤ）メッシュを形成するために、ＦＰＣを多層基板にしなければならず、コストアップになっていた。
【００１０】
そこで、本発明の目的は、ＦＰＣを多層基板にすることなく、信号配線の特性インピーダンスの不整合を低減させることができるＦＰＣを有する撮像装置を提供することにある。
【課題を解決するための手段】
【００１１】
上記の目的を達成するために、本発明は、撮像装置本体と、前記撮像装置本体内部に配置されたシャフトと、前記シャフトに対してその一部が巻き付いて保持されるＦＰＣと、を有する撮像装置において、前記ＦＰＣは、片面仕様で構成され、少なくとも１組の差動配線と、前記少なくとも１組の差動配線の両側に配置された第一のグランド（ＧＮＤ）配線を有し、前記ＦＰＣの外形は、前記シャフトに巻き付けられる部分における展開形状が略Ｕ字形状となるよう構成し、前記ＦＰＣが前記シャフトに巻き付けられる部分において、前記ＦＰＣ同士が重なる領域における、前記差動配線の配線方向が前記シャフトに平行な部分と重なる部分の上下層の前記ＦＰＣに、第一のＧＮＤ配線若しくは、第一のＧＮＤ配線とは異なる箇所に配線された第二のＧＮＤ配線が配置されることを特徴とする。
【発明の効果】
【００１２】
本発明によれば、片面基板で構成し、かつ信号配線の特性インピーダンスの不整合を低減させることができるＦＰＣを有する撮像装置の提供を実現できる。
【図面の簡単な説明】
【００１３】
【図１（ａ）】本発明が適用される撮像装置の表示部が収納状態の外観斜視図である。
【図１（ｂ）】図１（ａ）に示す撮像装置の表示部が１８０度回動した外観斜視図である。
【図２（ａ）】本発明が適用される表示ユニットの外観斜視図である。
【図２（ｂ）】図２（ａ）に示す表示ユニットの構成部品を展開した状態を示す斜視図である。
【図２（ｃ）】図２（ｂ）に示す表示ユニットの構成部品を展開した状態を（ｂ）とは異なる向きから見た斜視図である。
【図３】本発明が適用される回動ユニットＦＰＣ周りの構造詳細を示す斜視図である。
【図４（ａ）】本発明が適用されるシャフトに回動ユニットＦＰＣを組み付ける工程を説明する図である。
【図４（ｂ）】本発明が適用されるシャフトに回動ユニットＦＰＣを固定後の回動ユニットＦＰＣを説明する図である。
【図４（ｃ）】図４（ｂ）のＡ−Ａ図である。
【図５（ａ）】本発明が適用される回動ユニットＦＰＣの配線の様子を表した平面図である。
【図５（ｂ）】図５（ａ）を巻回した後の図５（ａ）のＢ−Ｂ図である。
【図６】本発明の第２の実施形態である回動ユニットＦＰＣの配線の様子を表した平面図である。
【図７】本発明の第３の実施形態である回動ユニットＦＰＣの配線の様子を表した平面図である。
【図８（ａ）】本発明の第４の実施形態である回動ユニットＦＰＣの配線の様子を表した平面図である。
【図８（ｂ）】図８（ａ）を巻回した後の図８（ａ）のＣ−Ｃ図である。
【発明を実施するための形態】
【００１４】
以下、本発明の実施形態について、添付図面を参照して詳細に説明する。本実施形態では、撮像装置として、所謂、デジタルカメラを取り上げるが、本発明はこれに限定されるものではなく、撮像装置全般に適用することができる。また、撮像装置本体に対して回転自在に保持される表示部の一例としてヒンジを介して回転可能な表示ユニットを取り上げる。
【実施例１】
【００１５】
まず、図１（ａ）、図１（ｂ）を用いて本実施例における撮像装置について説明する。図１（ａ）は本発明が適用される実施例での撮像装置１００の表示部が収納状態の外観斜視図である。図１（ｂ）は本発明が適用される実施例での撮像装置１００の表示部が１８０度回動した外観斜視図である。
【００１６】
図１（ａ）、図１（ｂ）によると、本実施例における撮像装置１００は、本体１０の正面向かって中央部に鏡筒ユニット３０が配置されている。鏡筒ユニット３０は、ユニットを構成するレンズ群を光軸方向に移動させる構造を有している。そして、レンズ群は本体１０から突出させて撮影を行う撮影位置と、レンズ群を本体１０内部に収容させる収納位置との間を移動することができる。
【００１７】
次に、撮像装置１００において、表示ユニット５０は本体１０に対して回転自在に保持されている。表示ユニット５０は、不図示の撮像素子から出力された撮像信号に基づくライブビュー画像や撮影画像、撮影条件等を表示することができる。また、撮像装置１００は本体１０に対して表示ユニット５０の回転角度を検出する不図示の検出手段を備えている。
【００１８】
そして、例えば、表示ユニット５０が回転して図１（ａ）の姿勢から図１（ｂ）の姿勢へと変化すると、検出手段は表示ユニット５０の姿勢変化を検出する。すると、不図示の制御手段は、それまで表示ユニット５０に表示していた画像に対して、画像の上下を反転させた画像を生成し、表示ユニット５０に表示する制御を行う。この制御を行うことによって表示ユニット５０に表示されている情報を被写体側から認識しやすくすることができる。また表示ユニット５０が回転して図１（ａ）の姿勢から図１（ｂ）の姿勢において不図示の回転規制部によって回転を規制している。
【００１９】
次に、図２を用いて本実施例における表示ユニット５０について説明する。図２（ａ）は、表示ユニット５０の外観斜視図である。図２（ｂ）は、表示ユニット５０の構成部品を展開した状態を示す斜視図、図２（ｃ）は図２（ｂ）とは異なる向きから見た斜視図である。
【００２０】
図２（ａ）に示すように、表示ユニット５０は、表示部カバー５３と、表示部フレーム５４と、回動ユニット５９と、表示装置５７と、を備えている。本実施例では、表示装置５７の一例として、液晶パネル(Liquid Crystal Display)を取り上げる。
【００２１】
図２（ｂ）および図２（ｃ）に示すように、表示装置５７は、液晶パネル５７ａと、液晶パネルＦＰＣ５７ｂ及び５７ｃと、中継基板５７ｄと、を備えている。そして中継基板５７ｄにはコネクタ５７ｄ１、５７ｄ２、及び５７ｄ３が、実装されている。中継基板５７ｄは、液晶パネル５７ａの背面に貼り付けられて固定されている。液晶パネル５７ａから延出する液晶パネルＦＰＣ５７ｂ及び５７ｃは、その延出元からおよそ１８０度折り曲げられて、中継基板５７ｄに実装されているコネクタ５７ｄ１及び５７ｄ２に接続されている。
【００２２】
次に、回動ユニット５９は本体シャーシ５１と、シャフト５２と、フレキシブルプリント配線板（以下、回動ユニットＦＰＣと呼称する）５５と、表示部シャーシ５６とを備えている。本体シャーシ５１は、軸受け５１ａ、５１ｂと、を備えている。そして、表示部シャーシ５６は腕部５６ａ、５６ｂを備えている。
【００２３】
ここで、シャフト５２は表示部シャーシ５６の腕部５６ａ、５６ｂに対して、スポット溶接等の手段によって一体的に接合されている。シャフト５２は表示部シャーシ５６と一体的に本体シャーシ５１に対して回転可能に保持されている。回動ユニットＦＰＣ５５は表示装置５７と、本体１０の内部に設置する不図示の制御回路基板と、を接続するＦＰＣであり、回動ユニットＦＰＣ端子部５５ｗはコネクタ５７ｄ３に接続される。表示部フレーム５４と、表示部カバー５３は、表示ユニット５０の外装を成す部品である。
【００２４】
図２（ａ）に示すように、表示部フレーム５４は、表示部シャーシ５６と、表示装置５７とを内包して、表示部シャーシ５６に対してビス等によって固定される。そして、本体シャーシ５６に鏡筒ユニット３０や不図示の制御回路基板、外装カバー等を組み付けていくと、撮像装置１００が完成する。
【００２５】
次に、図３を用いて本実施例における回動ユニットＦＰＣ５５まわりの構造詳細について説明する。図３は回動ユニットＦＰＣ５５まわりの構造詳細を示す斜視図である。
【００２６】
図３に示すように、回動ユニットＦＰＣ５５は回動ユニットＦＰＣ巻き付け部５５ｘとシャフト５２を固定保持し、回動ユニットＦＰＣ固定部５５ｙと本体シャーシ５１を、両面テープ６０を介して固定保持している。
【００２７】
回動ユニットＦＰＣ巻き付け部５５ｘとシャフト５２を固定する際、図４にて後述する巻き付け方法で位置決めを行う。回動ユニットＦＰＣ固定部５５ｙと本体シャーシ５１を固定する際、Ｕ字穴５５ｃ、５５ｄおよび本体シャーシ穴５１ｃ、５１ｄの位置が一致するよう位置決めを行う。今回は上記手法により位置決めをしているが、Ｕ字穴５５ｃ、５５ｄは穴でもよいし、本体シャーシ穴５１ｃ、５１ｄはダボ形状でもよい。
【００２８】
回動ユニットＦＰＣ５５は回動ユニットＦＰＣ巻き付け部５５ｘと回動ユニットＦＰＣ固定部５５ｙとの間に回動ユニットＦＰＣ余長部５５ｚを設けている。回動ユニットＦＰＣ余長部５５ｚは、回動ユニットＦＰＣ巻き付け部５５ｘと回動ユニットＦＰＣ固定部５５ｙが位置決め固定され、たるみを保持するよう構成される。
【００２９】
次に、図４を用いて本実施例における回動ユニットＦＰＣ５５を回動ユニット５９に組み付ける工程を説明する。図４（ａ）はシャフト５２に回動ユニットＦＰＣ５５を組み付ける工程を説明する図である。図４（ｂ）はシャフト５２に回動ユニットＦＰＣ５５を、本体シャーシ５１に回動ユニットＦＰＣ５５を固定後の回動ユニットＦＰＣ５５を説明する図である。図４（ｃ）は図４（ｂ）の断面Ａ−Ａ図である。
【００３０】
図４（ａ）に示すように、回動ユニットＦＰＣ５５には巻き付け開始部５５ａ、ＦＰＣ外形端部５５ｅ、５５ｆが形成されている。シャフト５２にはシャフト切り欠き端部５２ａを有する切り欠き部およびシャフト溝部５２ｅ、５２ｆを備えている。
【００３１】
巻き付け開始部５５ａをシャフト切り欠き端部５２ａに一致するよう配置して巻き付けをおこなうことでｙ方向を、ＦＰＣ外形端部５５ｅ、５５ｆをそれぞれシャフト溝部５２ｅ、５２ｆに一致するよう巻き付けることでｘ方向をそれぞれ位置決めしつつ、シャフト５２に対して回動ユニットＦＰＣ５５を固定している。
【００３２】
図４（ｂ）、図４（ｃ）は回動ユニットＦＰＣ５５をシャフト５２へ巻き付け固定された後に回動ユニットＦＰＣ固定部５５ｙと本体シャーシ５１を、両面テープ６０を介して固定保持した回動ユニットＦＰＣ５５を示す。
【００３３】
前述したように回動ユニットＦＰＣ余長部５５ｚは、回動ユニットＦＰＣ巻き付け部５５ｘと回動ユニットＦＰＣ固定部５５ｙが位置決め固定され、たるみを保持するよう構成される。
【００３４】
図４（ｃ）のように回動ユニットＦＰＣ巻き付け部５５ｘは巻き付け開始部５５ａを起点としてＰ方向（時計周り方向）に巻き付け固定された時、回動ユニットＦＰＣ余長部５５ｚは回動ユニットＦＰＣ巻き付け部５５ｘに隣接しつつＰ方向とは逆向きのＱ方向（反時計方向）に湾曲形状部５５ｖ（図４（ｃ）点線範囲）を有するよう、回動ユニットＦＰＣ余長部５５ｚを構成している。
【００３５】
次に、図５を用いて本実施例における回動ユニットＦＰＣ５５内の配線について説明する。図５（ａ）は回動ユニットＦＰＣ巻き付け部５５ｘのみを抜粋して展開した配線図である。図５（ｂ）は図５（ａ）を巻回した後の断面Ｂ−Ｂ図である。
【００３６】
図５（ａ）のように回動ユニットＦＰＣ巻き付け部５５ｘはＵ字形状をしており、先端には巻き付け開始部５５ａが構成されている。６１は少なくとも１組の差動配線、６２は差動配線６１のインピーダンスをコントロールするために差動配線６１の両側に配置されたＧＮＤ配線、６３は回動ユニットＦＰＣ５５を巻き付けた時に差動配線６１のシャフト５２径方向内側に配置されたＧＮＤ配線、６４は回動ユニットＦＰＣ５５を巻き付けた時に差動配線６１のシャフト５２径方向外側に配置されたＧＮＤ配線である。その他の信号線については省略してある。
【００３７】
各配線は、シャフト５２に巻き付けられる際において、シャフト５２の長手方向と平行に配線される部分と、シャフト５２の長手方向と平行に配線されない部分に分類される。以下、シャフト５２の長手方向と平行に配線される部分にはそれぞれの符号の末尾にｐが付与され、シャフト５２の長手方向と平行に配線されない部分にはそれぞれの符号の末尾にｖが付与される。
【００３８】
回動ユニットＦＰＣ５５をシャフト５２に巻き付けると、シャフト５２に対して何周も回動ユニットＦＰＣ５５が巻き付けられる。６５は回動ユニットＦＰＣ５５がシャフト５２に対して巻き付けられた時の１巻き目を表す領域、６６は同様に２巻き目、６７は同様に３巻き目、６８は同様に４巻き目を表す領域である。
【００３９】
回動ユニットＦＰＣ５５がシャフト５２に巻き付けられると、回動ユニットＦＰＣ５５同士が重ねられて巻き付けられるため、回動ユニットＦＰＣ巻き付け部５５ｘにおいては配線同士がシャフト５２径方向で投影上重なった状態となる。そのため、回動ユニットＦＰＣ５５内で差動配線６１に対して両側をＧＮＤ配線６２でガードしているにも関わらず、回動ユニットＦＰＣ５５同士の重なりによって他の信号からの影響を受け、差動配線６１のインピーダンスが乱されてしまう恐れがある。
【００４０】
従来、このようなＦＰＣ同士の重なりに対しては、ＦＰＣを両面仕様や多層仕様にし、差動配線６１の反対面や両面にＧＮＤのベタ、若しくはメッシュを配置しインピーダンスをコントロールしていた。
【００４１】
しかし、両面仕様や多層仕様にすることでコストアップになったり、ＦＰＣの厚さや剛性が増すことによって柔軟性が低下したりするため、本実施形態のようにシャフト５２に巻き付ける場合にはＦＰＣの反発力が強くなり、巻き付け等の曲げに対して開く方向に力が働いていた。
【００４２】
図５（ｂ）に示すように、本実施形態においては、このようなＦＰＣ同士の重なりによる差動配線６１のインピーダンスの乱れを低減させるために、ＦＰＣ同士の重なり時に差動配線６１ｐに対してシャフト５２径方向で内側と外側にＧＮＤ配線６３ｐ、６４ｐを設けている。
【００４３】
ＧＮＤ配線６３ｐ、６４ｐは、ＦＰＣが展開状態の時には差動配線６１ｐには無関係に見えるが、シャフト５２に巻き付けた場合等には、ＦＰＣが重なる部分において差動配線６１ｐをシャフト５２径方向でガードする役割を果たしている。ＧＮＤ配線６３ｐ、６４ｐは、巻き付けの精度がばらついても差動配線６１ｐを両側からガードできるように、差動配線６１ｐ以上の幅がある。回動ユニットＦＰＣ５５は、差動配線６１ｐをシャフト５２径方向両側からガードするために、少なくとも３周はシャフト５２に巻き付けられる。これにより、ＦＰＣを両面仕様や多層仕様にすることなく、片面仕様で構成することが可能となり、差動配線６１のインピーダンスのコントロールが可能となる。
【実施例２】
【００４４】
次に、図６を参照して、本発明の第２の実施形態である回動ユニットＦＰＣ５５内の配線について説明する。以下、本発明に係る回動ユニットＦＰＣ５５について、第１の実施形態との差異についてのみ説明する。図６は回動ユニットＦＰＣ巻き付け部５５ｘのみを抜粋して展開した配線図である。
【００４５】
図５（ａ）と同様に回動ユニットＦＰＣ５５には少なくとも１組の差動配線７１と、差動配線７１のインピーダンスをコントロールするために差動配線７１の両側に配置されたＧＮＤ配線７２、回動ユニットＦＰＣ５５を巻き付けた時に差動配線７１のシャフト５２径方向内側に配置されたＧＮＤ配線７３、回動ユニットＦＰＣ５５を巻き付けた時に差動配線７１のシャフト５２径方向外側に配置されたＧＮＤ配線７４が配置されている。
【００４６】
その内、差動配線７１ｖと、差動配線７１ｖのインピーダンスをコントロールするために差動配線７１ｖの両側に配置されたＧＮＤ配線７２ｖは、巻き付け方向に対して湾曲しながら配線されている。これは、回動ユニットＦＰＣ５５をシャフト５２に巻き付けた時に、巻き付け方向と平行な差動配線７１ｖ同士が重なり、差動配線７１ｖ自身によるインピーダンスの乱れを防ぐために、巻き付けた際に差動配線７１ｖの径方向両側に常にＧＮＤ配線７３ｖ、７４ｖが配置されるよう位相をずらしている。位相のずれ量は、回動ユニットＦＰＣ５５を巻き付けた時に、何周巻き付けたかによらず、常に差動配線７１ｖをＧＮＤ配線７２ｖ、７３ｖ、７４ｖで全方向ガードできる量になっている。これにより、差動配線７１ｖの両側と、径方向両側に常にＧＮＤ配線７２ｖ、７３ｖ、７４ｖが配置されるため、差動配線７１ｖのインピーダンスを常にコントロールすることが可能となる。
【実施例３】
【００４７】
次に、図７を参照して、本発明の第３の実施形態である回動ユニットＦＰＣ５５内の配線について説明する。以下、本発明に係る回動ユニットＦＰＣ５５について、第１〜２の実施形態との差異についてのみ説明する。図７は回動ユニットＦＰＣ巻き付け部５５ｘのみを抜粋して展開した配線図である。
【００４８】
図５（ａ）と同様に回動ユニットＦＰＣ５５には少なくとも１組の差動配線８１と、差動配線８１のインピーダンスをコントロールするために差動配線８１の両側に配置されたＧＮＤ配線８２、回動ユニットＦＰＣ５５を巻き付けた時に差動配線８１のシャフト５２径方向内側に配置されたＧＮＤ配線８３、回動ユニットＦＰＣ５５を巻き付けた時に差動配線８１のシャフト５２径方向外側に配置されたＧＮＤ配線８４が配置されている。
【００４９】
その内、差動配線８１ｖと、差動配線８１ｖのインピーダンスをコントロールするために差動配線８１ｖの両側に配置されたＧＮＤ配線８２ｖは、巻き付け方向に対して一定の角度で配線されている。これは、実施例２と同様に、回動ユニットＦＰＣ５５をシャフト５２に巻き付けた時に、巻き付け方向と平行な差動配線８１ｖ同士が重なり、差動配線８１ｖ自身によるインピーダンスの乱れを防ぐために、巻き付けた際に差動配線８１ｖの径方向両側に常にＧＮＤ配線８３ｖ、８４ｖが配置されるよう位相をずらしている。位相のずれ量は、回動ユニットＦＰＣ５５を巻き付けた時に、何周巻き付けたかによらず、常に差動配線８１ｖをＧＮＤ配線８２ｖ、８３ｖ、８４ｖで全方向ガードできる量になっている。これにより、差動配線８１ｖの両側と、径方向両側に常にＧＮＤ配線８２ｖ、８３ｖ、８４ｖが配置されるため、差動配線８１ｖのインピーダンスを常にコントロールすることが可能となる。実施例２と違い、差動配線８１ｖやＧＮＤ配線８２ｖが一定の角度で配線されることで、撮像装置本体１０側と表示ユニット５０への接続位置をずらすことができるため、回動ユニットＦＰＣ５５を撮像装置内で効率良く這い回すことができる。
【実施例４】
【００５０】
次に、図８を参照して、本発明の第４の実施形態である回動ユニットＦＰＣ５５内の配線について説明する。以下、本発明に係る回動ユニットＦＰＣ５５について、第１〜３の実施形態との差異についてのみ説明する。図８（ａ）は回動ユニットＦＰＣ巻き付け部５５ｘのみを抜粋して展開した配線図である。図８（ｂ）は、図８（ａ）を巻回した後の断面Ｃ−Ｃ図である。
【００５１】
図５（ａ）と同様に回動ユニットＦＰＣ５５には少なくとも１組の差動配線９１と、差動配線９１のインピーダンスをコントロールするために差動配線９１の両側に配置されたＧＮＤ配線９２、回動ユニットＦＰＣ５５を巻き付けた時に差動配線９１のシャフト５２径方向外側に配置されたＧＮＤ配線９３が配置されるが、ＧＮＤ配線９３ｐはシャフト５２周方向に広がっている。ＧＮＤ配線９３ｐが広がる領域は、回動ユニットＦＰＣ５５がシャフト５２に対して巻き付けられる際の１周分の長さ以上である。これにより、実施例１におけるＧＮＤ配線６４に相当する部分が不要となり、回動ユニットＦＰＣ５５の巻き付け部ではない部分のＦＰＣ幅を細くすることができるため、ＦＰＣのコストダウンや撮像装置の小型化が可能となる。
【００５２】
また、本実施例ではシャフト５２径方向外側に配置されたＧＮＤ配線９３ｐについて説明したが、シャフト５２径方向内側においても同様な構成が可能である。もちろん、どちらか一方だけでなく、両方のＧＮＤ配線において同様な構成が可能である。
【００５３】
なお、本発明の構成は、上記各実施形態に例示したものに限定されるものではなく、材質、形状、寸法、携帯、数、配置箇所等は、本発明の要旨を逸脱しない範囲において適宜変更可能である。
【００５４】
以上、本発明の好ましい実施形態について説明したが、本発明はこれらの実施形態に限定されず、その要旨の範囲内で種々の変形及び変更が可能である。
【符号の説明】
【００５５】
１００  撮像装置、１０  本体、５０  表示ユニット（表示部）、５１  本体シャーシ、
５２  シャフト、５５  回動ユニットＦＰＣ、５５ａ  巻き付け開始部、
５５ｅ／５５ｆ  ＦＰＣ外形端部、５５ｖ  湾曲形状部、
５５ｘ  回動ユニットＦＰＣ巻き付け部、５５ｙ  回動ユニットＦＰＣ固定部、
５５ｚ  回動ユニットＦＰＣ余長部、５６  表示部シャーシ、６１  差動配線、
６２  ＧＮＤ配線（両側）、６３  ＧＮＤ配線（内側）、６４  ＧＮＤ配線（外側）
【図１（ａ）】
2016134537.tif 000003
【図１（ｂ）】
2016134537.tif 000004
【図２（ａ）】
2016134537.tif 000005
【図２（ｂ）】
2016134537.tif 000006
【図２（ｃ）】
2016134537.tif 000007
【図３】
2016134537.tif 000008
【図４（ａ）】
2016134537.tif 000009
【図４（ｂ）】
2016134537.tif 000010
【図４（ｃ）】
2016134537.tif 000011
【図５（ａ）】
2016134537.tif 000012
【図５（ｂ）】
2016134537.tif 000013
【図６】
2016134537.tif 000014
【図７】
2016134537.tif 000015
【図８（ａ）】
2016134537.tif 000016
【図８（ｂ）】
2016134537.tif 000017